(57)【特許請求の範囲】
【請求項１】
本体枠に片開き可能に支持された中枠に固定される取付板と、この取付板に上下方向に摺動可能に配設された中枠施錠杆と、同じく取付板に上下方向に摺動可能に配設されたガラス枠施錠杆とを備えた遊技機の施錠装置であって、
前記中枠施錠杆には、中枠の施錠時に中枠施錠杆の上下方向の摺動を規制可能なロック板を軸着したうえに、
取付板にはロックピンを設け、ロック板にはこのロック板をロックピンにより施錠位置及び解錠位置に維持するためのＺ状溝孔を設けたことを特徴とする遊技機の施錠装置。
【請求項２】
Ｚ状溝孔の下端の横向き凹部にロックピンを嵌め込んで、ロック板を上昇させた施錠位置に維持し、Ｚ状溝孔の上端の横向き凹部にロックピンを嵌め込んで、ロック板を降下させた解錠位置に維持するようにした請求項１に記載の遊技機の施錠装置。
【発明の詳細な説明】
【技術分野】
【０００１】
本発明は、遊技機の本体枠に片開き可能に支持される中枠を本体枠に対して施錠するとともに、中枠に片開き可能に支持されるガラス枠を中枠に対して施錠するための、遊技機の施錠装置に関するものである。
【背景技術】
【０００２】
パチンコ遊技機は、本体枠と、この本体枠に片開き可能に支持される中枠と、中枠に片開き可能に支持されるガラス枠とを備えている。この遊技機における従来の施錠装置として、例えば特許文献１に開示されたものが知られている。当該施錠装置は遊技盤が配設された中枠（＝前面枠）の自由端側に設置されて、中枠を本体枠に対して施錠するための鉤部材が連結された連結杆と、遊技盤の前面を覆うガラス枠を中枠に対して施錠するための鉤部材が連結されたガラス枠施錠用の連結杆とを、取付板と支持板とからなる基枠体にスライド可能に装着したものであり、基枠体に固定されたシリンダー錠を一方に回すと中枠が解錠され、逆方向に回すとガラス枠が解錠される仕組みになっている。
【０００３】
しかしながら上記した遊技機の施錠装置は、本体枠に対して中枠が施錠された状態であっても連結杆はコイルばねによって施錠方向に付勢されているだけであるので、隙間から針金、細棒などの不正ツールを差し込んで、連結杆や鉤部材を直接解錠方向に移動させて中枠自体を解錠することができ、不正が働かれるという問題があった。
【０００４】
また、本体枠に対して中枠を施錠する場合は、鉤部材が本体枠側の受け金具に当たって強制的にスライドし、鉤部材と受け金具とが係止することで施錠される。しかし、中枠を閉める力の一部を鉤部材の三角形の傾斜形状で上下方向の力に変換することで鉤部材をスライドさせて施錠しているため、施錠操作が重くなって施錠し難いものとなっていた。
【特許文献１】特開平０７−２０４３３７号公報
【発明の開示】
【発明が解決しようとする課題】
【０００５】
本発明は、上記した従来の問題点に鑑み、不正ツールを使用した不正な解錠を防止するとともに、施錠に際しても大きな力を必要とせず容易に施錠することができる遊技機の施錠装置を提供することを課題とする。
【課題を解決するための手段】
【０００６】
上記の課題を解決するためになされた本発明に係る遊技機の施錠装置は、本体枠に片開き可能に支持された中枠に固定される取付板と、この取付板に上下方向に摺動可能に配設された中枠施錠杆と、同じく取付板に上下方向に摺動可能に配設されたガラス枠施錠杆とを備えた遊技機の施錠装置であって、
前記中枠施錠杆には、中枠の施錠時に中枠施錠杆の上下方向の摺動を規制可能なロック板を軸着したうえに、
取付板にはロックピンを設け、ロック板にはこのロック板をロックピンにより施錠位置及び解錠位置に維持するためのＺ状溝孔を設けたことを特徴とするものである。
【０００７】
上記した発明において、Ｚ状溝孔の下端の横向き凹部にロックピンを嵌め込んで、ロック板を上昇させた施錠位置に維持し、Ｚ状溝孔の上端の横向き凹部にロックピンを嵌め込んで、ロック板を降下させた解錠位置に維持するようにすることができる。
【０００８】
ロック板には、中枠施錠時に本体枠に当接してロック板と本体枠との間に隙間を形成するための、レバー部材を設けることができる。さらに、レバー部材にレバー部材の回動規制用の突片を設け、ロック板には本体枠の押圧によるレバー部材の回動を制止する突起を設けて、中枠の解錠時にロック板がレバー部材を介して本体枠を押圧するようにすることができる。
【発明の効果】
【０００９】
請求項１に係る発明は、中枠施錠杆にロック板を設けたので、中枠の施錠時に中枠施錠杆の上下方向の摺動を規制することができるので、不正ツールによる解錠を防止することができる。また、解錠時にロック板を解錠位置に維持することができるので、施錠時の摺動抵抗を低減できる。
【００１０】
請求項２に係る発明は、施錠操作によりロックピンをＺ状溝孔の下端の横向き凹部に嵌め込むことにより、ロック板の上下移動を規制してロック板を施錠状態に維持することができる。また、解錠操作によりロックピンをＺ状溝孔の上端の横向き凹部に嵌め込むことにより、ロック板を上昇させた解錠状態に維持することができる。
【発明を実施するための最良の形態】
【００１３】
以下に、本発明の実施形態について説明する。
図１〜３は本発明に係る施錠装置を示す図であって、１は中枠（図示していない）の自由端側にネジにより固定される取付板、２は取付板１に上下方向に摺動可能に配設された中枠施錠杆、３は中枠施錠杆を挟んで取付板１に上下方向に摺動可能に配設されたガラス枠施錠杆である。
【００１４】
取付板１には、シリンダーブラケット１１を介してシリンダー錠１２が固定されている。シリンダー錠１２には上下回動するカム板１３が設けられ、カム板１３はＡ突片１３Ａ  とＢ突片１３Ｂとを有し（図３）、Ａ突片１３Ａが角孔１８から突出している。また、取付板１には、上部と下部にピン孔１５ａ、１６ａが設けられ、中程にロックピン１４が突設されている。
【００１５】
中枠施錠杆２は縦孔２５、２６を有し、ピン１５、１６がこの縦孔２５、２６を挿通してピン孔１５ａ、１６ａに固定されているので、中枠施錠杆２は取付板１に対して上下方向に摺動することができる。中枠施錠杆２の上部と下部には、本体枠に設けた止め具（図示していない）に係止して施錠するための上向き三角山状の鉤部２１、２２が水平方向に突出して設けられている。また、鉤部２２の上側には係合端２３を有する長孔２４が形成されている。さらに、長孔２４の斜め上方には、ピン４によりロック板５が回動可能に軸着、垂設されている。
【００１６】
ガラス枠施錠杆３は、ガラス枠に設置された止め金具（図示していない）を係止するための下向き三角山を有するガラス枠係止用の鉤部３１、３２、３３が前記鉤部２１、２２とは逆方向に突出して設けられている。ガラス枠施錠杆３は、係合端３４を備えた長孔３５を有する。また、ガラス枠施錠杆３は、縦孔３６、３７を有しており、この縦孔３６、３７に前記ピン１５、１６が挿通されているので、ガラス枠施錠杆３は、中枠施錠杆２を挟んだ状態で取付板１に対して上下方向に摺動することができる。ガラス枠施錠杆３は、図８に示すバネＣにより下方に付勢されている。
【００１７】
ロック板５は、中程に前記ロックピン１４が差し込まれるＺ状溝孔５１を有し、下部には前記長孔２４、３５に臨む係合片５２と、ストッパー５３とを備えている。Ｚ状溝孔５１は中央の長孔部５１ａと、下端の横向き凹部５１ｂと、上端の横向き凹部５１ｃとからなる。このロック板５はバネＡにより図２中反時計回り方向に付勢されている。また、ロック板５の下端には、レバー部材７がピン６により軸着されており、このレバー部材７はバネＢにより図２中反時計回り方向に付勢されている。レバー部材７は、本体枠に設けた抑え金具（図示していない）に当接するレバー部７２と、前記ストッパー５３に当接して回動を制止される突片７３とを有する。
【００１８】
以下に、施錠装置の施錠・解錠機構について説明する。
図２は中枠が本体枠に施錠された状態の錠止機構を示す図である。この状態では、シリンダー錠１２のカム板１３のＡ突片１３Ａは上方に回動されており、中枠施錠杆２の鉤部２２は上方に摺動されて中枠が本体枠にロックされている。また、ロック板５はレバー部材７が本体の抑え金具に押圧されることによりバネＡの付勢に抗して時計回り方向に回動されている。そして、ロックピン１４はＺ状溝孔５１の下端の横向き凹部５１ｂに引き込められた状態になっているので、ロック板５は上下方向に移動することができない。よって、ロック板５が取り付けられた中枠施錠杆２も上下に摺動することはできないので、付勢ツールを差し込んで鉤部２２を押し下げて解錠しようとしても、中枠のロックを解除することはできない。
【００１９】
中枠のロックを解除する場合には、図４、５に示すように、シリンダー錠１２を回して
Ａ突片１３Ａを下方に回動する。これによって、Ａ突片１３Ａは係合片５２の肩部を摺動しロック板５は反時計回り方向に回動されるので、本体枠との間に形成された隙間をもってロック板５は反時計回り方向に回動することができる。ロックピン１４はＺ状溝孔５１の長孔部５１ａの下端に位置することとなるので、ロック板５を下方に移動させることが可能となる。そして、Ａ突片１３Ａが係合部２３を押し下げて鉤部２２を押し下げることによって、中枠のロックを解除することができる。なお、レバー部材７は一旦レバー部７２が本体枠の抑え金具によって下方に押し下げられることになるが、ロック解除によって、再び突片７３がストッパー５３に当接した元の位置に戻ることになる（図６）。
【００２０】
図１１には、ロック板５に本体枠の押圧によるレバー部材７の回動を制止する突起５６を設けた遊技機の施錠装置を示す。このものにおいては、中枠の解錠に際してＡ突片１３Ａが係合片５２の肩部を摺動しロック板５は反時計回り方向に回動されるときに、突片７３が突起５６に突き当たってレバー部材７は時計回り方向の回動を制止される。したがって、ロック板５がさらに反時計回りに回動されたときにロック板５はレバー部材７を介して本体枠を押圧することができる。したがって、この施錠装置においては、レバー部材７が本体枠を押圧する押圧力で中枠を開放したり開放に要する力を軽減したりすることができる。
【００２１】
図６の状態は中枠が完全に開放された状態である。この状態においては、バネＡの引付け力によりロックピン１４はＺ状溝孔５１の上端の横向き凹部５１ｃに入り込んでいるので、ロック板５が上下摺動を規制されることにより中枠施錠杆２は持ち上げられることがなく、鉤部２２は降下したままである。よって、施錠に際して鉤部２２の三角形の傾斜面が施錠に際して相手の施錠部材と擦れ合うことがないので、係合時の抵抗を少なくして施錠を行うことができる。施錠に際してはレバー部材７の押圧によりロック板５が回動されて、ロックピン１４が上端の横向き凹部５１ｃから外れるので、鉤部２２を上昇させて施錠することができる。
【００２２】
なお、ガラス枠施錠杆３のロックを解除する場合には、図７に示すように、シリンダー錠１２を逆回転させて縦孔３５にカム板１３のＢ突片１３Ｂを差し込んで、上方に回動することによって係合部３４を押し上げる。これによって、バネＣの下方への引付け力に抗してガラス枠施錠杆３を持ち上げて、鉤部３３を上昇させることができるので、ロックを解除することができる。
【００２３】
また、本発明の施錠装置は、中枠の自由端の側面側から取り付けているので、従来のように取付板をＬ字型にしたものと比べて図９に示すように３枚の板が組み合わされた薄型のものであるので、遊技領域を拡幅することができる。
【図面の簡単な説明】
【００２４】
【図１】施錠装置の分解斜視図である。
【図２】中枠施錠杆が施錠された状態の施錠装置の正面側の要部斜視図である。
【図３】図２に示す施錠装置の背面側斜視図である。
【図４】解錠開始時の施錠装置の要部斜視図である。
【図５】解錠中の施錠装置の要部斜視図である。
【図６】解錠された施錠装置の要部斜視図である。
【図７】ガラス枠が解錠された状態の施錠装置の要部斜視図である。
【図８】施錠装置の正面図である。
【図９】施錠装置の側面図である。
【図１０】施錠装置の背面図である。
【図１１】ロック板に突起を設けた施錠装置の要部斜視図である。
【図１２】ロック板の正面図である。
【符号の説明】
【００２５】
１  取付板、２  中枠施錠杆、３  ガラス枠施錠杆、５  ロック板、１４  ロックピン、５１  Ｚ状溝孔、
【図１】
0005162743.tif 000002
【図２】
0005162743.tif 000003
【図３】
0005162743.tif 000004
【図４】
0005162743.tif 000005
【図５】
0005162743.tif 000006
【図６】
0005162743.tif 000007
【図７】
0005162743.tif 000008
【図８】
0005162743.tif 000009
【図９】
0005162743.tif 000010
【図１０】
0005162743.tif 000011
【図１１】
0005162743.tif 000012
【図１２】
0005162743.tif 000013